(57)【要約】【課題】冷却温度の異なる複数の貯蔵室に対する冷気の供給が適切にできる冷蔵庫を提供する。【解決手段】庫本体１の、冷蔵室２及び野菜室３や冷凍室４など複数有する貯蔵室に対し、冷却温度の異なる複数の冷却器２４，２６と、それらの冷却器２４，２６により生成する冷気を上記貯蔵室に供給する複数のファン２５，２７とを設け、主として、冷凍モードで、冷却温度の低い側の第１の冷却器２４により生成する冷気を、上記貯蔵室のうちの低温に維持すべき貯蔵室である冷凍室４に供給し、冷蔵モードで、冷却温度の高い側の第２の冷却器２６により生成する冷気を、上記冷凍室４よりも高温に維持すべき貯蔵室である冷蔵室２及び野菜室３に供給するようにした。【選択図】図１
2015102320.tif 000002
【特許請求の範囲】
【請求項１】
複数の貯蔵室を有する庫本体と、
この庫本体に設けられた、冷却温度の異なる複数の冷却器、並びにそれらの冷却器により生成する冷気を前記貯蔵室に供給する複数のファンとを具備し、
前記冷却器のうちの冷却温度の低い側の冷却器により生成する冷気を、前記貯蔵室のうちの低温に維持すべき貯蔵室に供給し、
前記冷却器のうちの冷却温度の高い側の冷却器により生成する冷気を、前記貯蔵室のうちの低温に維持すべき貯蔵室よりも高温に維持すべき貯蔵室に供給するようにしたことを特徴とする冷蔵庫。
【請求項２】
前記貯蔵室の一つが冷蔵室であり、この冷蔵室にチルドルームがあって、このチルドルームに、前記冷却器のうちの冷却温度の低い側の冷却器により生成する冷気を供給するようにしたことを特徴とする請求項１記載の冷蔵庫。
【請求項３】
前記貯蔵室の一つが冷蔵室であり、この冷蔵室の上部に、前記冷却器のうちの冷却温度の低い側の冷却器により生成する冷気を供給するようにしたことを特徴とする請求項１又は２記載の冷蔵庫。
【請求項４】
前記貯蔵室の一つが冷凍室であり、更にその冷凍室に、維持すべき温度の異なる複数の冷凍室があって、そのうちの、より低温に維持すべき冷凍室に、前記冷却器のうちの冷却温度の低い側の冷却器により生成する冷気を供給するようにしたことを特徴とする請求項１から３のいずれか一項記載の冷蔵庫。
【請求項５】
前記貯蔵室の一つが冷凍室であり、更にその冷凍室に製氷室があって、この製氷室に、
前記冷却器のうちの冷却温度の高い側の冷却器により生成する冷気を供給するようにしたことを特徴とする請求項１から４のいずれか一項記載の冷蔵庫。
【請求項６】
前記貯蔵室のうちの高温に維持すべき貯蔵室に対する冷気の供給による当該貯蔵室の温度分布に合わせて、当該冷気の戻り口を設定したことを特徴とする請求項１から５のいずれか一項記載の冷蔵庫。
【請求項７】
前記貯蔵室のうちの低温に維持すべき貯蔵室に対する冷気の供給による当該貯蔵室の温度分布に合わせて、当該冷気の戻り口を設定したことを特徴とする請求項１から６のいずれか一項記載の冷蔵庫。
【発明の詳細な説明】
【技術分野】
【０００１】
本発明の実施形態は冷蔵庫に関する。
【背景技術】
【０００２】
従来より、冷蔵庫においては、一般的に、冷凍室や冷蔵室など複数の貯蔵室が庫本体に設けられると共に、それらの貯蔵室に共通に単独の冷却器及び単独のファンが設けられており、その冷却器により生成する冷気をファンにより上記複数の貯蔵室に分配供給するようになっている。
又、このものの場合、各貯蔵室の冷気吹出し口部分にはダンパが設けられ、このダンパを開閉もしくは開度調節することにより、各貯蔵室に対する冷気の供給量を調節して各貯蔵室の温度調整をするようになっている（例えば特許文献１参照）。
【先行技術文献】
【特許文献】
【０００３】
【特許文献１】特開２０１３−１２７３４５号公報
【発明の概要】
【発明が解決しようとする課題】
【０００４】
しかしながら、従来のものにおいては、各貯蔵室に応じたダンパの最適な調節ができておらず、そのために、例えば低い温度が必要でもないのに多くの冷気が供給されてしまっているなど、冷気が効率良く使用されていない。又、この場合、低い温度の冷気が供給される貯蔵室の冷気吹出し口部分近くでは、貯蔵品が凍結する等の問題があった。更に、低い温度の冷気が通る部分では、より強力な断熱が必要なため、風路が狭くなり、冷気の供給効率が低下していた。
【０００５】
そのほか、冷蔵室冷却時の冷却器の温度を上げることにより、冷凍サイクルのサイクル効率を上げてエネルギーの省減化を図る方法があるが、この場合には、冷蔵室の温度が高くなり、その状況で、扉が開放されることにより暖かい外気が浸入すると、冷蔵室の温度、特には軽い暖気が行きやすい冷蔵室上部の温度が一層高くなって冷蔵貯蔵品の貯蔵に適さなくなるという問題もあった。
加えて、冷蔵室に、凍結寸前の温度を維持すべきチルドルームがある場合、そのチルドルームに供給する冷気の確保が困難であるという問題もあった。
【０００６】
そこで、冷却温度の異なる複数の貯蔵室に対する冷気の供給が適切にできる冷蔵庫を提供する。
【課題を解決するための手段】
【０００７】
本実施形態の冷蔵庫は、複数の貯蔵室を有する庫本体と、この庫本体に設けられた、冷却温度の異なる複数の冷却器、並びにそれらの冷却器により生成する冷気を前記貯蔵室に供給する複数のファンとを具備し、前記冷却器のうちの冷却温度の低い側の冷却器により生成する冷気を、前記貯蔵室のうちの低温に維持すべき貯蔵室に供給し、前記冷却器のうちの冷却温度の高い側の冷却器により生成する冷気を、前記貯蔵室のうちの低温に維持すべき貯蔵室よりも高温に維持すべき貯蔵室に供給するようにしたことを特徴とする。
【図面の簡単な説明】
【０００８】
【図１】第１の実施形態を示す全体の縦断側面図
【図２】冷凍サイクルの概略構成図
【図３】冷蔵モードにおける冷気循環経路を示す冷蔵エリア部分の縦断側面図
【図４】冷凍モードにおける冷気循環経路を示す冷凍エリア部分の縦断側面図
【発明を実施するための形態】
【０００９】
以下、一実施形態につき、図面を参照して説明する。
まず、図１には、冷蔵庫の全体を縦断面で右側方より見て示しており、縦長の断熱筐体から成る庫本体１の上側が冷蔵エリアＲ、下側が冷凍エリアＦとなっており、そのうちの冷蔵エリアＲに貯蔵室である冷蔵室２と野菜室３とが存在し、冷凍エリアＦに同じく貯蔵室である冷凍室４が存在している。これらの貯蔵室につき、冷蔵室２と野菜室３との間は仕切板５で仕切っており、野菜室３と冷凍室４との間（冷蔵エリアＲと冷凍エリアＦとの間）は庫本体１の断熱仕切壁６で仕切っている。冷凍室４の上部は今一つの貯蔵室である製氷室７となっている。
【００１０】
上記貯蔵室２〜４，７は、いずれも前面が開口するものであり、その各開口部を個々の扉８〜１１で開閉するようにしている。
冷蔵室２の扉８の裏側にはポケット１２を複数段設けており、冷蔵室２には棚１３を同じく複数段設けている。更に、冷蔵室２には、最下部にチルド容器１４を、単独に引出し可能に設けており、このチルド容器１４の内部が更に今一つの貯蔵室であるチルドルーム１５として機能するようになっている。従って、冷蔵室２は、最下部にチルドルーム１５を有している。
【００１１】
野菜室３には、野菜容器１６を、野菜室３の扉９の開閉と共に出し入れされるように設けており、製氷室７には、貯氷容器１７ａを、製氷室７の扉１０の開閉と共に出し入れされるように設けている。このほか、製氷室７には、貯氷容器１７ａに貯留する氷を製造する製氷皿１７ｂや、この製氷皿１７ｂから氷を剥離させる離氷駆動部１７ｃ、及び貯氷容器１７ａに貯留した氷の量（嵩）を検知する貯氷検知レバー１７ｄ等から成る製氷機構１７を設けている。冷凍室４には、上貯蔵容器１８と下貯蔵容器１９を、ともに冷凍室４の扉１１の開閉と共に出し入れされるように設けている。
【００１２】
そして、冷凍室４の奥部には、第１と第２の、複数の冷却器室２０,２１を隔壁２２,２３で前後に隔てて設けており、そのうち前側の第１の冷却器室２０に、第１の冷却器（蒸発器）２４と第１のファン２５とを配置している。又、後側の第２の冷却器室２１には、第２の冷却器（蒸発器）２６と第２のファン２７とを配置している。
【００１３】
なお、第１及び第２のファン２５，２７の配置については、ファンの形状にもよるが、第１及び第２の冷却器２４，２６を左右（横方向）に並べて置けば、ファンが角形であれば、より効率良く風路を構成できるが、冷却器サイズは、この種冷蔵庫で一般的な上下複数段の蛇行状を成す冷媒流通パイプに多数の伝熱フィンを付着して成る冷却器の場合、その段数に応じた数の折返し部分が占めるスペースを必要とするために、冷却有効面積が小さくなり、冷却効率が悪くなる。それに対して、第１及び第２の冷却器２４，２６を前後に配置すれば、その前後の重なり分だけ風路効率は下がるが、冷却器サイズはほゞ同等で実現でき、それに有効に送風できるので、冷却効率的に効果がある。
又、この場合、第１及び第２のファン２５，２７は、ともに送風方向が前方となる水平状の向きに配置している。
【００１４】
第１と第２の、複数の冷却器２４，２６は、庫本体１外（庫外）後下部の機械室２８に配置した圧縮機２９や、図２に示す凝縮器３０及び絞り器であるキャピラリチューブ３１とで周知の冷凍サイクル３２を構成するもので、圧縮機２９が作動することにより、同図に矢印で示すように、該圧縮機２９から、凝縮器３０、キャピラリチューブ３１、第１の冷却器２４、第２の冷却器２６、そして又圧縮機２９の順に図示しない冷媒が流れて循環される。これにより、第１の冷却器２４には、図２にＬ1で概略的に示すように、液状態の多い冷媒が流れて蒸発し、第２の冷却器２６には、図２にＬ２で同じく概略的に示すように、第１の冷却器２４で蒸発した分を除く残りの液状態の冷媒が流れて蒸発することで、第１の冷却器２４が高い冷却能力を奏して冷却温度が低く、第２の冷却器２６は第１の冷却器２４よりも冷却能力が低くて冷却温度が高くなるようになっている。
【００１５】
そして、第１の冷却器２４は第１の冷却器室２０を通る空気の冷却に供し、第２の冷却器２６は第２の冷却器室２１を通る空気の冷却に供するようになっており、これらの冷却器２４，２６のそれぞれ上方に第１及び第２のファン２５，２７が位置している。
【００１６】
第１及び第２の冷却器室２０，２１からそれぞれ上方の庫本体１壁中には、図１のほか、図３にも示すように、前記冷蔵室２奥部の上部まで延びる冷気送りダクト３３，３４を設けており、そのうちの第１の冷却器室２０から延びた冷気送りダクト３３の、冷蔵室２上部（特には最上部）に臨む部分に、冷気吹出し口３５を設け、同冷気送りダクト３３の、前記チルドルーム１５（チルド容器１４）に臨む部分には、冷気吹出し口３６を設けることにより、第１の冷却器室２０が冷気送りダクト３３を介して冷蔵室２の上部とチルドルーム１５とに連通するようにしている。
【００１７】
なお、図３には、冷気送りダクト３３，３４を実線と破線の太線でも併せて示している。又、チルド容器１４は上面部が開口し、その開口部と冷蔵室２最下段の棚１３とは間隙を余し、この間隙を通じて冷気送りダクト３３が冷気吹出し口３６を介してチルドルーム１５に連通している。
【００１８】
第２の冷却器室２１から延びた冷気送りダクト３４の、冷蔵室２（特には冷蔵室２の最上部とチルドルーム１５との間）に臨む部分には、冷気吹出し口３７を上下に複数設けることにより、第２の冷却器室２１が冷気送りダクト３４を介して冷蔵室２に連通するようにしている。
【００１９】
又、冷蔵室２の奥底部である前記仕切板５の奥部には、冷蔵室２の冷気の戻り口である通気口３８を形成し、これによって冷蔵室２と野菜室３とが連通するようにしている。
更に、冷気送りダクト３３の第１の冷却器室２０と連なる部分と、冷気送りダクト３４の第２の冷却器室２１と連なる部分には、それぞれ冷気の流通を制御する制御手段であるダンパ３９，４０を設けている。
【００２０】
一方、冷蔵室２の前記冷気吹出し口３５，３６と対応する前側の部分には、図３に示すように、それぞれ冷気戻り口４１，４２を形成し、これらにそれぞれ冷気戻りダクト４３，４４を連通させて、この冷気戻りダクト４３，４４を更に前記第１の冷却器２４が存する第１の冷却器室２０に連通させることにより、冷蔵室２とチルドルーム１５が冷気戻り口４１，４２から冷気戻りダクト４３，４４をそれぞれに介して第１の冷却器室２０に連通するようにしている。
【００２１】
なお、冷気戻り口４１，４２と冷気戻りダクト４３，４４は、庫本体１に設けているが、図３にはそれらを便宜的に実線の太線のみで示している。
又、冷蔵室２の前記通気口３８下の下部には冷気戻り口４５を形成し、これに冷気戻りダクト４６を連通させて、この冷気戻りダクト４６を更に前記第２の冷却器２６が存する第２の冷却器室２１に連通させることにより、冷蔵室２が冷気戻り口４５から冷気戻りダクト４６を介して第２の冷却器室２１に連通するようにしている。
この場合も、冷気戻りダクト４６は、庫本体１に設けているが、図３にはそれを便宜的に破線の太線のみで示している。
【００２２】
これらに対して、第１の冷却器室２０（隔壁２２）の、前記製氷室７を除く冷凍室４に臨む部分には、図１のほか、図４にも示すように、冷気吹出し口４７を上下に複数設けることにより、第１の冷却器室２０が各冷気吹出し口４７を介して冷凍室４に連通するようにしている。
【００２３】
一方、第２の冷却器室２１（隔壁２２から隔壁２３）の、製氷室７に臨む部分には、冷気吹出し口４８を設けることにより、第２の冷却器室２１が冷気吹出し口４８を介して製氷室７に連通するようにしている。
なお、図４には、第１の冷却器室２０から上記冷気吹出し口４７を介しての冷凍室４への冷気の供給経路を便宜的に実線の太線Ｃ１で示し、第２の冷却器室２１から冷気吹出し口４８を介しての製氷室７への冷気の供給経路を便宜的に破線の太線Ｃ２で示している。
【００２４】
上記冷気吹出し口４７，４８にはダンパ４９，５０を設けている。これらのダンパ４９，５０も冷気の流通を制御する制御手段である。
第１の冷却器室２０の下端部には冷気戻り口５１を形成しており、これによって冷凍室４が冷気戻り口５１を介して第１の冷却器室２０に連通するようにしている。なお、図４には、冷凍室４から冷気戻り口５１を介しての第１の冷却器室２０への戻り経路を、便宜的に実線の太線Ｃ３で示している。
【００２５】
又、前記製氷室７の上記冷気吹出し口４８と対応する前側の部分には、冷気戻り口５２を形成し、これに冷気戻りダクト５３を連通させて、この冷気戻りダクト５３を更に前記第２の冷却器２６が存する第２の冷却器室２１に連通させることにより、製氷室７が冷気戻り口５２から冷気戻りダクト５３を介して第２の冷却器室２１に連通するようにしている。
この場合も、冷気戻り口５２と冷気戻りダクト５３は、庫本体１に設けているが、図４にはそれを便宜的に破線の太線のみで示している。
【００２６】
このほか、図示はしないが、前記庫本体１には、例えばマイクロコンピュータから成る制御装置を設けていて、この制御装置により冷蔵庫の作動全般を制御するようにしている。又、前記ダンパ３９，４０，４９，５０は、例えば電磁石やモータ等の電気的駆動源により開閉並びに開度調節されるようになっている。
【００２７】
次に、上記構成の冷蔵庫の作用を述べる。
上記構成の冷蔵庫においては、運転のモードに冷蔵モードと冷凍モードとがある。図３は、そのうちの冷蔵モードを示しており、この冷蔵モードにおいては、ダンパ３９，４０が開放され、この状態で、圧縮機２９と第１及び第２のファン２５，２７とが作動される。そのうち、圧縮機２９の作動により、第１及び第２の冷却器２４，２６が冷却機能を奏し、第１のファン２５の作動により、冷蔵室２の空気が冷気戻り口４１，４２から冷気戻りダクト４３，４４を通じて第１の冷却器室２０に吸入される。この第１の冷却器室２０に吸入された空気は、その後、第１の冷却器２４と接することにより冷気と化し、この冷気が、開放したダンパ３９を通り、更に冷気送りダクト３３を通って冷気吹出し口３５，３６から冷蔵室２の上部とチルドルーム１５とに供給される。この冷蔵室２の上部とチルドルーム１５とに供給された冷気は、その後、上記冷気戻り口４１，４２から冷気戻りダクト４３，４４を通じて第１の冷却器室２０に吸入され、戻される。これを繰返す循環を行って、冷蔵室２の上部とチルドルーム１５とが冷却される。
【００２８】
このとき、冷蔵室２の上部とチルドルーム１５とに供給される冷気は、第１の冷却器２４で生成された冷気であり、第１の冷却器２４は第２の冷却器２６よりも冷却能力が高くて冷却温度が低いので、当該冷蔵室２の上部とチルドルーム１５はより低温に冷却される。
【００２９】
一方、第２のファン２７の作動により、冷蔵室２の空気が仕切板５奥部の通気口３８から野菜室３に吸入され、更にその野菜室３の空気が冷気戻り口４５から冷気戻りダクト４６を通り、第２の冷却器室２１に吸入される。この第２の冷却器室２１に吸入された空気は、その後、第２の冷却器２６と接することにより冷気と化し、この冷気が、開放したダンパ４０を通り、更に冷気送りダクト３４を通って冷気吹出し口３７から冷蔵室２（特には冷蔵室２の最上部とチルドルーム１５との間）に供給される。この冷蔵室２に供給された冷気は、その後、上記通気口３８から野菜室３に吸入された後、冷気戻り口４５から冷気戻りダクト４６を通り、第２の冷却器室２１に吸入され、戻される。これを繰返す循環を行って、冷蔵室２と野菜室３とが冷却される。
【００３０】
このとき、冷蔵室２と野菜室３とに供給される冷気は、第２の冷却器２６で生成された冷気であり、第２の冷却器２６は第１の冷却器２４よりも冷却能力が低くて冷却温度が高いので、当該冷蔵室２と野菜室３は前記冷蔵室２の上部とチルドルーム１５よりも高温に冷却される。
【００３１】
これに対して、図４は、冷凍モードを示しており、この冷凍モードにおいては、ダンパ４９，５０が開放され、この状態で、前述のように、圧縮機２９と第１及び第２のファン２５，２７とが作動される。これにより、第１及び第２の冷却器２４，２６が冷却機能を奏し、第１のファン２５の作動により、冷凍室４の空気が第１の冷却器室２０下端部の冷気戻り口５１から第１の冷却器室２０に吸入される。この第１の冷却器室２０に吸入された空気は、その後、前述同様に第１の冷却器２４と接することにより冷気と化し、この冷気が、開放したダンパ４９を通り、冷気吹出し口４７から冷凍室４に供給される。この冷凍室４に供給された冷気は、その後、上記冷気戻り口５１から第１の冷却器室２０に吸入され、戻される。これを繰返す循環を行って、冷凍室４が冷却される。
【００３２】
このとき、冷凍室４に供給される冷気は、第１の冷却器２４で生成された冷気であり、前述のように、第１の冷却器２４は第２の冷却器２６よりも冷却能力が高くて冷却温度が低いので、当該冷凍室４はより低温に冷却される。
【００３３】
一方、第２のファン２７の作動により、製氷室７の空気が冷気戻り口５２から冷気戻りダクト５３を通り、第２の冷却器室２１に吸入される。この第２の冷却器室２１に吸入された空気は、その後、前述同様に第２の冷却器２６と接することにより冷気と化し、この冷気が、開放したダンパ５０を通り、冷気吹出し口４８から製氷室７に供給される。この製氷室７に供給された冷気は、その後、上記冷気戻り口５２から冷気戻りダクト５３を通り、第２の冷却器室２１に吸入され、戻される。これを繰返す循環を行って、製氷室７が冷却される。
【００３４】
このとき、製氷室７供給される冷気は、第２の冷却器２６で生成された冷気であり、前述のように、第２の冷却器２６は第１の冷却器２４よりも冷却能力が低くて冷却温度が高いので、当該製氷室７は前記冷凍室４よりも高温に冷却される。
【００３５】
このように本実施形態によれば、庫本体１の、冷蔵室２及び野菜室３や冷凍室４など複数有する貯蔵室に対し、冷却温度の異なる複数の冷却器２４，２６と、それらの冷却器２４，２６により生成する冷気を上記貯蔵室に供給する複数のファン２５，２７とを設け、主として、冷凍モードで、冷却温度の低い側の第１の冷却器２４により生成する冷気を、上記貯蔵室のうちの低温に維持すべき貯蔵室である冷凍室４に供給し、冷蔵モードで、第１の冷却器２４よりも冷却温度の高い第２の冷却器２６により生成する冷気を、上記冷凍室４よりも高温に維持すべき貯蔵室である冷蔵室２及び野菜室３に供給するようにしている。このようにして冷却温度の異なる複数の貯蔵室に対する冷気の供給が適切にできる。
【００３６】
これにより、低い温度が必要でもないのに多くの冷気が供給されてしまうなどの不具合を解消でき、冷気を効率良く使用することができるし、低い温度の冷気が供給される貯蔵室の冷気吹出し口部分近くで貯蔵品が凍結する等の問題を生じないようにもできる。更に、無駄に低い温度の冷気が通る部分がなくなるので、その部分ではより強力な断熱をする必要がなくなり、風路を広く確保できるので、冷気の供給効率を良くすることができる。
【００３７】
又、本実施形態によれば、冷蔵室２にチルドルーム１５があり、このチルドルーム１５に、冷却温度の低い側の第１の冷却器２４により生成する冷気を供給するようにしている。これにより、チルドルーム１５に供給する冷気の確保ができ、チルドルーム１５を適温（冷蔵室２の中で、より低い温度であって、凍結寸前の温度）に確実に維持できる。
【００３８】
更に、冷蔵室２冷却時の第２の冷却器２６の温度を上げることにより、冷凍サイクル３２のサイクル効率を上げてエネルギーの省減化を図るようにしている（本実施形態もそのようにしている）ものにおいては、前述のように、冷蔵室の温度が高くなり、その状況で、冷蔵室２の扉８が開放されることにより暖かい外気が浸入すると、冷蔵室２の温度、特には軽い暖気が行きやすい冷蔵室上部の温度が一層高くなって冷蔵貯蔵品の貯蔵に適さなくなる懸念があるが、本実施形態によれば、冷蔵室２の上部に、冷却温度の低い側の第１の冷却器２４により生成する冷気を供給するようにしているので、扉８開放時に暖気が行きやすい冷蔵室２上部の温度を低く維持でき、冷蔵貯蔵品の貯蔵を問題なく継続できる。
【００３９】
一方、本実施形態においては、冷凍室４に、維持すべき温度の異なる複数の冷凍室として、冷凍室４の製氷室７を除く部分と、製氷室７とがあり、そのうちの、より低温に維持すべき冷凍室である、冷凍室４の製氷室７を除く部分に、冷却温度の低い側の第１の冷却器２４により生成する冷気を供給するようにしている。又、この冷凍室４の製氷室７を除く部分は、製氷室７に比して容積が大きいこともあり、より低温の冷気を必要とする。このようにな冷凍室４の製氷室７を除く部分により低温の冷気を供給できることにより、効率の良い冷却ができる。
【００４０】
加えて、本実施形態においては、製氷室７に、冷却温度の高い側の第２の冷却器２６により生成する冷気を供給するようにしている。製氷室７は容積が小さく、少々温度が高くても製氷が可能な室である。従って、冷却温度の高い側の第２の冷却器２６により生成する冷気を供給しても差し支えない。その分、冷却温度の低い側の第１の冷却器２４により生成する冷気を上記冷凍室４の製氷室７を除く部分に多く供給できるので、冷気を効率良く使用でき、効率の良い冷却ができる。
【００４１】
なお、製氷室７では、圧縮機２９を停止させている場合でも、風を循環させた方が早く氷を製造できるものであり、従って、その場合には第２のファン２７のみを作動させることにより、無駄な冷却を避けて、エネルギーの省減化ができる。
【００４２】
そのほか、本実施形態においては、冷蔵モードにおいて、冷却温度の低い側の第１の冷却器２４により生成する冷気が冷気吹出し口３５，３６から供給される部分は、冷蔵室２の上部とチルドルーム１５であり、これらの部分が低温となる。又、冷却温度の高い側の第２の冷却器２６により生成する冷気が冷気吹出し口３７から供給される部分は、冷蔵室２の上部とチルドルーム１５との間並びに野菜室３であり、これらの部分が上記冷蔵室２の上部とチルドルーム１５より高温となる。
【００４３】
これに対して、冷蔵室２の上記冷気吹出し口３５，３６と対応する前側の部分には、それぞれ冷気戻り口４１，４２を設け、これらにそれぞれ冷気戻りダクト４３，４４を連通させて、冷却温度の低い側の第１の冷却器２４が位置する第１の冷却器室２０に冷気を戻させるようにしている。又、上記冷気吹出し口３７と対応する冷気戻り口については、冷蔵室２の奥底部に冷蔵室２の冷気の戻り口である通気口３８を設けると共に、野菜室３の奥底部に当該冷気戻り口４５を設けて、これに冷気戻りダクト４６を連通させ、冷却温度の高い側の第２の冷却器２６が位置する第２の冷却器室２１に冷気を戻させるようにしている。
【００４４】
すなわち、本実施形態においては、貯蔵室のうちの高温に維持すべき貯蔵室に対する冷気の供給による当該貯蔵室の温度分布に合わせて、当該冷気の戻り口４１，４２,３８，４５を設定しており、それによって、冷却温度の低い供給冷気は低温の箇所から冷却温度の低い側の第１の冷却器２４に戻し、冷却温度の高い供給冷気は高温の箇所から冷却温度の高い側の第２の冷却器２６に戻すようにしている。これにより、低温の冷気と高温の冷気とが混合されるのを避けて、それぞれ温度変化少なく循環されるので、冷却効率を一層良くすることができる。
【００４５】
更に、本実施形態においては、冷凍モードにおいて、冷却温度の低い側の第１の冷却器２４により生成する冷気が冷気吹出し口４７から供給される部分は、冷凍室４の、製氷室７を除く部分であり、この部分が低温となる。又、冷却温度の高い側の第２の冷却器２６により生成する冷気が冷気吹出し口４８から供給される部分は製氷室７であり、この部分が上記冷凍室４の、製氷室７を除く部分より高温となる。
【００４６】
これに対して、冷凍室４の上記冷気吹出し口４７と対応する前側の部分には冷気の戻り口を設けておらず、当該冷気の戻り口（冷気戻り口５１）は第１の冷却器室２０の下端部に設けて、冷却温度の低い側の第１の冷却器２４が位置する第１の冷却器室２０に冷気を戻させるようにしている。一方、冷気戻り口５２は、記冷気吹出し口４８と対応する製氷室７の前側の部分に設け、これに冷気戻りダクト５３を連通させて、冷却温度の高い側の第２の冷却器２６が位置する第２の冷却器室２１に冷気を戻させるようにしている。
【００４７】
すなわち、この場合は、貯蔵室のうちの低温に維持すべき貯蔵室に対する冷気の供給による当該貯蔵室の温度分布に合わせて、当該冷気の戻り口５１，５２を設定しており、それによって、上述同様に、冷却温度の低い供給冷気は低温の箇所から冷却温度の低い側の第１の冷却器２４に戻し、冷却温度の高い供給冷気は高温の箇所から冷却温度の高い側の第２の冷却器２６に戻すようにしている。従って、この場合も、低温の冷気と高温の冷気とが混合されるのを避けて、それぞれ温度変化少なく循環されるので、冷却効率を一層良くすることができる。
【００４８】
なお、上記実施形態では、第１及び第２のファン２５，２７を水平状の向きに配置したが、これらのファン２５，２７の駆動軸を支承する軸受をボールベアリングとすることにより、上向きや下向きあるいは上向き気味の斜め向きや下向き気味の斜め向きの配置で使用することができる。
【００４９】
又、第１及び第２のファン２５，２７については、第１のファン２５の回転速度を第２のファン２７のそれよりも高く設定したり、第１のファン２５の送風羽根径を第２のファン２７のそれよりも大きくしたりして、冷却温度の低い側の第１の冷却器２４で生成する冷気の供給率を、冷却温度の高い側の第２の冷却器２６で生成する冷気の供給率よりも大きくすることも可能である。
【００５０】
そのほか、以上説明した冷蔵庫は、上記実施形態にのみ限定されるものではなく、要旨を逸脱しない範囲内で適宜変更して実施し得る。
本発明の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００５１】
図面中、１は庫本体、２は冷蔵室（貯蔵室）、３は野菜室（貯蔵室）、４は冷凍室（貯蔵室）、７は製氷室（貯蔵室）、１５はチルドルーム（貯蔵室）、２０は第１の冷却器室、２１は第２の冷却器室、２４は第１の冷却器（冷却温度の低い側の冷却器）、２５は第１のファン、２６は第２の冷却器（冷却温度の高い側の冷却器）、２７は第２のファン、３８は通気口（冷気の戻り口）、４１，４２は冷気戻り口、４５は冷気戻り口、５１，５２は冷気戻り口を示す。
【図１】
2015102320.tif 000003
【図２】
2015102320.tif 000004
【図３】
2015102320.tif 000005
【図４】
2015102320.tif 000006